(57)【要約】      （修正有）【課題】ロック操作が幼児に見られることなく、密かに行え、且つ、通常のリモコンに復旧できるように着脱自在なチャイルドロックつきリモコンを提供する。【解決手段】リモコン１の裏面１ａにフィルムまたはプレートからなるシャッタ３を設け、それをスライド自在にして赤外線ランプからなる信号発信部２を開閉自在とする。【選択図】図２
0003186896.tif 000002
【実用新案登録請求の範囲】
【請求項１】
リモコン(1)の裏面(1a)に、信号発信部(2)に向けてスライド自在なフィルムまたはプレートからなるシャッタ(3)が配置され、そのシャッタ(3)が信号発信部(2)を開閉自在に閉塞するように構成したチャイルドロックつきリモコン。
【請求項２】
請求項１に記載のチャイルドロックつきリモコンにおいて、
リモコン(1)の裏面(1a)に着脱自在に貼着され、前記シャッタ(3)の両側を案内するスライド溝(4)がリモコン(1)の裏面(1a)との間に形成されるロック本体(5)と、そのスランド溝(4)に保持されて信号発信部(2)に向けてスライドするシャッタ(3)とを具備するチャイルドロックつきリモコン。
【請求項３】
請求項２に記載のチャイルドロックつきリモコンにおいて、
前記シャッタ(3)が可撓性のフィルムからなり、前記ロック本体(5)の前記信号発信部(2)側の端部に、先端側に傾斜してシャッタ(3)を案内する補助ブロック(6)が設けられたチャイルドロックつきリモコン。
【請求項４】
請求項１〜請求項３に記載のチャイルドロックつきリモコンにおいて、
前記シャッタ(3)を閉塞方向に付勢する付勢手段(7)が設けられたチャイルドロックつきリモコン。
【請求項５】
請求項４に記載のチャイルドロックつきリモコンにおいて、
前記付勢手段(7)として、シャッタ(3)を可撓性フィルムで形成し、その開状態でシャッタ(3)が湾曲して弾性変形することにより、前記付勢手段(7)としたチャイルドロックつきリモコン。
【考案の詳細な説明】
【技術分野】
【０００１】
本考案は、幼児のいたずらによる誤動作を防止するチャイルドロックつきリモコンに関する。
【背景技術】
【０００２】
下記特許文献１のリモコン用いたずら防止器は、リモコンの端部に回動自在な赤外線遮断部を設け、その信号発信部を常時、覆うことにより、リモコンのボタン操作を無効とするものである。
次に、特許文献２のチャイルドロック付きリモコンは、リモコンの表面にスライドスイッチを設け、そのスライドスイッチを入れることにより、リモコン操作を無効とするものである。
【先行技術文献】
【特許文献】
【０００３】
【特許文献１】実用新案登録第３０３３２５４号公報
【特許文献２】特開２００１−１４５１８２号公報
【考案の概要】
【考案が解決しようとする課題】
【０００４】
テレビ等を視聴しているとき、幼児はその視聴者のリモコン操作を注目し、それを真似る。そのため、テレビ等のチャンネル、音量、各種操作ボタンが押され、場合によっては、そのいたずら前の設定に復旧する作業が極めて面倒な場合が起こる。上記の公知例では、いずれも、そのロック操作を幼児に見られ、真似られるおそれがある。
そこで本考案は、チャイルドロックの操作が幼児に見られることなく、密かに行なえ、且つ、その幼児のいたずらが一時的なものであるが故に、通常のリモコンに復旧できるように着脱自在なチャイルドロックつきリモコンを提供することを目的とする。
【課題を解決するための手段】
【０００５】
請求項１に記載の本考案は、リモコン(1)の裏面(1a)に、信号発信部(2)に向けてスライド自在なフィルムまたはプレートからなるシャッタ(3)が配置され、そのシャッタ(3)が信号発信部(2)を開閉自在に閉塞するように構成したチャイルドロックつきリモコンである。
【０００６】
請求項２に記載の本考案は、請求項１に記載のチャイルドロックつきリモコンにおいて、
リモコン(1)の裏面(1a)に着脱自在に貼着され、前記シャッタ(3)の両側を案内するスライド溝(4)がリモコン(1)の裏面(1a)との間に形成されるロック本体(5)と、そのスランド溝(4)に保持されて信号発信部(2)に向けてスライドするシャッタ(3)とを具備するチャイルドロックつきリモコンである。
【０００７】
請求項３に記載の本考案は、請求項２に記載のチャイルドロックつきリモコンにおいて、
前記シャッタ(3)が可撓性のフィルムからなり、前記ロック本体(5)の前記信号発信部(2)側の端部に、先端側に傾斜してシャッタ(3)を案内する補助ブロック(6)が設けられたチャイルドロックつきリモコンである。
【０００８】
請求項４に記載の本考案は、請求項１〜請求項３に記載のチャイルドロックつきリモコンにおいて、
前記シャッタ(3)を閉塞方向に付勢する付勢手段(7)が設けられたチャイルドロックつきリモコンである。
【０００９】
請求項５に記載の本考案は、請求項４に記載のチャイルドロックつきリモコンにおいて、
前記付勢手段(7)として、シャッタ(3)を可撓性フィルムで形成し、その開状態でシャッタ(3)が湾曲して弾性変形することにより、前記付勢手段(7)としたチャイルドロックつきリモコンである。
【考案の効果】
【００１０】
本考案のチャイルドロックつきリモコンは、スライド型のシャッタ３が、リモコン１の裏面1aにあり、その操作を幼児に見破られることなく、密かにでき、シャッタ３の閉塞により信号発信部２の送信を遮断して、幼児のリモコンボタンの操作を確実に無効にすることができる。
上記構成に加えて、請求項２に記載のように、ロック本体５とリモコン１の裏面1aとの間にスライド溝４を設け、そのスライド溝４にシャッタ３を案内させた場合には、簡単な構造で薄型のチャイルドロックつきリモコンを提供できる。
さらに、その構成に加えて、請求項３に記載のように、シャッタ３を可撓性のフィルムで形成し、ロック本体５の信号発信部２側の端部に、先端側に傾斜した補助ブロック６を設けた場合には、各種形状のリモコンに対処できるチャイルドロックを提供できる。
【００１１】
また、請求項４に記載のように、シャッタ３を閉塞方向に付勢する付勢手段７が設けられたものでは、常時、チャイルドロックが働き、幼児のリモコン操作を常にブロックすることができる。
請求項５に記載のように、シャッタ３を可撓性フィルムで形成し、その開状態でシャッタ３が湾曲して弾性変形することにより、付勢手段７とした場合には、部品点数が少なく、構造が簡単で効果的なチャイルドロックとなる。
【図面の簡単な説明】
【００１２】
【図１】本考案のチャイルドロックつきリモコンの分解斜視図。
【図２】その取付け状態を示す斜視図（Ａ）およびそのシャッタ３を閉状態にした斜視図（Ｂ）。
【図３】図２のIII−III矢視断面図。
【図４】図２のIV−IV矢視断面図。
【図５】本考案の第２実施例（Ａ）および第３実施例（Ｂ）のチャイルドロックの分解斜視図。
【図６】本考案の第４実施例のチャイルドロックの分解斜視図。
【図７】同取付状態を示す斜視図。
【考案を実施するための形態】
【００１３】
次に、図面に基づいて本考案の実施の形態につき、説明する。
【実施例１】
【００１４】
図１〜図４は本考案の第１の実施の形態を示し、この実施例では、リモコン１の裏面1aにロック本体５とシャッタ３とが、粘着テープ８を介して取付けられるものである。
シャッタ３は可撓性のフィルム材からなり、それが軟質である場合と硬質である場合とのいずれであっても良い。ロック本体５はこの例では、平面Ｈ形に形成され、その長手方向両端にスリット10が形成されている。このスリット10に沿って、図４に示すごとく、ロック本体５と裏面1aとの間にスライド溝４が形成される。そのスライド溝４にシャッタ３の両側がスライド自在に案内されている。
【００１５】
シャッタ３の先端寄りの中間部には、指をタッチするためのタッチ板９が貼着されている。さらに、このタッチ板９の表面は滑り止め加工することが好ましい。また、このタッチ板９を取り除いて、シャッタ３の表面に直接滑り止め加工をしても良い。この例では、タッチ板９の幅は、ロック本体５の後方側スリット10より僅かに狭い。
このようにしてなるシャッタ３とロック本体５は、図１、図２に示すごとく、粘着テープ８を介してリモコン１の裏面1aに着脱自在に貼着される。なお、ロック本体５は、硬質フィルムの貼り合せ体、或いは樹脂による射出成形で作成することができる。さらには、ボール紙等を積層してそれを形成しても良い。
【００１６】
そして、図２（Ａ）、（Ｂ）に示すごとく、シャッタ３を伸張した状態で、そのタッチ板９がスリット10に整合するように取付られる。即ち、リモコン１の裏面1aにロック本体５の全面とシャッタ３の後端とが貼着される。そのシャッタ３の後端部にはＴ字状の基部3aが設けられ、それが粘着テープ８を介してリモコン１の裏面1aに着脱自在に貼着される。なお、基部3aは必ずしもＴ字状としなくとも良い。また、ロック本体５は、この例では、リモコン１の裏面1aの先端部の傾斜形状に整合する形に成形されている。なお、ロック本体５を可撓性材料で形成した場合には、それを変形しつつ、裏面1aの先端部にそのまま粘着テープ８を介して貼着することも可能である。図２（Ｂ）の状態で、シャッタ３及びロック本体５を取付けた場合、シャッタ３の先端は、信号発信部２を覆うことになり、信号発信部２からの信号を遮断する。なお、この例では信号発信部２は赤外線ランプからなり、その赤外線信号によりＴＶが制御される。
【００１７】
リモコン１の表面側には、図示しない各種スイッチボタンが配置されている。そこで、各種スイッチボタンを有効にするためには、リモコン１の裏面1a側において、シャッタ３を後方に引き戻す。すると、図２（Ａ）のごとく、その中間部以降が弾性変形する。そして、信号発信部２が露出し、ボタン操作が有効となる。なお、この例では、シャッタ３が可撓性部材からなり、その中間部以降が弾性変形して、シャッタ３を信号発信部２側に付勢することにより付勢手段７を構成する。したがって、ボタン操作をする者はタッチ板９から指を離すことにより、図２（Ｂ）のごとく、信号発信部２が閉塞される。
【実施例２】
【００１８】
次に、図５（Ａ）は、本考案の第２実施例であり、この例は、リモコン１の先端部が直角に形成されたものであり、この場合には、第１実施例の構成に加えて、一対の補助ブロック６を粘着テープ８を介して信号発信部２の両側に配置する。それにより、第１実施例のチャイルドロックのロック本体５、シャッタ３をそのまま利用することができる。この例では、粘着テープ８の厚みを利用し、ロック本体５と補助ブロック６との間にスライド溝を形成している。
【実施例３】
【００１９】
また、図５（Ｂ）は本考案の第３実施例である。この例は図５（Ａ）の例の一対の補助ブロック６をその下端で連結して一体にしたものである。この場合には、信号発信部２の信号をより完全に遮断することができる。なお、それらの補助ブロック６とロック本体５との間にも、シャッタ３のスライド溝が形成される。
【実施例４】
【００２０】
次に、図６、図７は、本考案の第４実施例であり、この実施例が図１のそれと異なる点は、ロック本体５が細長く形成され、それに方形のスリット10が設けられ、そこにシャッタ３がスライド自在に嵌着されるものである。
【００２１】
なお、本考案は上記実施例に限定されるものでは勿論なく、その実用新案登録請求の範囲において、各種変形が可能である。
【符号の説明】
【００２２】
１  リモコン
1a  裏面
２  信号発信部
３  シャッタ
3a  基部
４  スライド溝
５  ロック本体
６  補助ブロック
７  付勢手段
８  粘着テープ
９  タッチ板
10  スリット
【図１】
0003186896.tif 000003
【図２】
0003186896.tif 000004
【図３】
0003186896.tif 000005
【図４】
0003186896.tif 000006
【図５】
0003186896.tif 000007
【図６】
0003186896.tif 000008
【図７】
0003186896.tif 000009
【手続補正書】
【提出日】平成25年9月4日(2013.9.4)
【手続補正１】
【補正対象書類名】実用新案登録請求の範囲
【補正対象項目名】請求項２
【補正方法】変更
【補正の内容】
【請求項２】
請求項１に記載のチャイルドロックつきリモコンにおいて、
リモコン(1)の裏面(1a)に着脱自在に貼着され、前記シャッタ(3)の両側を案内するスライド溝(4)がリモコン(1)の裏面(1a)との間に形成されるロック本体(5)と、そのスライド溝(4)に保持されて信号発信部(2)に向けてスライドするシャッタ(3)とを具備するチャイルドロックつきリモコン。
【手続補正２】
【補正対象書類名】実用新案登録請求の範囲
【補正対象項目名】請求項４
【補正方法】変更
【補正の内容】
【請求項４】
請求項１〜請求項３のいずれか一項に記載のチャイルドロックつきリモコンにおいて、
前記シャッタ(3)を閉塞方向に付勢する付勢手段(7)が設けられたチャイルドロックつきリモコン。
【手続補正３】
【補正対象書類名】明細書
【補正対象項目名】０００６
【補正方法】変更
【補正の内容】
【０００６】
請求項２に記載の本考案は、請求項１に記載のチャイルドロックつきリモコンにおいて、
リモコン(1)の裏面(1a)に着脱自在に貼着され、前記シャッタ(3)の両側を案内するスライド溝(4)がリモコン(1)の裏面(1a)との間に形成されるロック本体(5)と、そのスライド溝(4)に保持されて信号発信部(2)に向けてスライドするシャッタ(3)とを具備するチャイルドロックつきリモコンである。
【手続補正４】
【補正対象書類名】明細書
【補正対象項目名】０００８
【補正方法】変更
【補正の内容】
【０００８】
請求項４に記載の本考案は、請求項１〜請求項３のいずれか一項に記載のチャイルドロックつきリモコンにおいて、
前記シャッタ(3)を閉塞方向に付勢する付勢手段(7)が設けられたチャイルドロックつきリモコンである。